(57)【要約】【課題】本発明は、イグサを用いた畳表本来の効用である消臭性、吸湿性、クッション性等を活用しつつ、耐久性があり交換容易な履物用中敷を提供する。【解決手段】本発明の履物用中敷は、平面形状である踏面としての表層部材が、密に並ぶよう並列させた多数のイグサと、該イグサと直交する連結糸と、を織り上げた畳表で構成され、前記連結糸の少なくとも２本を表層部材の両端から突出させて該両端で互いに結んでいる。さらに、また、本本発明の履物用中敷は、前記表層部材の周縁の略全周を固定する補強手段を設けることが好ましい。【選択図】図４
2017144179.tif 000002
【特許請求の範囲】
【請求項１】
平面形状である踏面としての表層部材が、密に並ぶよう並列させた多数のイグサと、該イグサと直交する連結糸と、を織り上げた畳表で構成され、
前記連結糸の少なくとも２本を表層部材の両端から突出させて該両端で互いに結んでいる、ことを特徴とする履物用中敷。
【請求項２】
前記表層部材の周縁の略全周を固定する補強手段を設ける、ことを特徴とする請求項１に記載の履物用中敷。
【請求項３】
前記補強手段は、略テープ状の部材を表層部材の周縁の略全周を挟んで表層部材に縫い付け又は接着している、ことを特徴とする請求項２に記載の履物用中敷。
【請求項４】
請求項１〜３のいずれか１項に記載の履物用中敷は、中敷底部材を備え、
該中敷底部材は、前記表層部材と略同様の平面形状に形成され、前記表層部材の下面に重ねられ、前記表層部材の周縁の略全周を固定する補強手段で前記表層部材と結合される、ことを特徴とする履物用中敷。
【請求項５】
密に並ぶよう並列させた多数のイグサと、該イグサと直交する連結糸と、を織り上げた畳表から、連結糸の長さ方向を前後方向とする足型部と該足型部の前後両側から突出する突出部とで形成される踏面としての表層部材を裁断して切り出す第一工程と、
前記突出部のイグサを前記足型部に到達するまで除去する第二工程と、
該第二工程で突出部のイグサが除去されることで前記足型部の前後それぞれに露出した連結糸を互いに結ぶ第三工程と、を有し、
前記第一工程で切り出される前記足型部の前後両側の突出部は、それぞれの幅方向に前記連結糸が少なくとも２本含まれ、該連結糸は前後両側で繋がっている、ことを特徴とする履物用中敷の製造方法。
【請求項６】
請求項５に記載の履物用中敷の製造方法は、さらに、前記第三工程で連結糸が結ばれた状態の足型部の略全周を補強する第四工程とを有する、ことを特徴とする履物用中敷の製造方法。
【請求項７】
前記第四工程での補強は、略テープ状の部材を表層部材の周縁の略全周を挟み、前記表層部材に縫い付け又は接着するものである、ことを特徴とする請求項６に記載の履物用中敷の製造方法。
【発明の詳細な説明】
【技術分野】
【０００１】
本発明は、イグサを用いた畳表本来の効用である消臭性、吸湿性、クッション性等を活用しつつ、耐久性があり交換容易な履物用中敷およびその製造方法に関する。
【背景技術】
【０００２】
従来、履物用中敷としてイグサの効用である消臭性、吸湿性、クッション性を活用すべく表層部材に畳表を用いたものが知られている。具体的には、可撓性のシート材からなる中敷底部材と、この中敷底部材と平面形状が同じになるよう裁断され、中敷底部材の表面に重ねて接着固定した畳表で形成されている。
【０００３】
表層部材となる畳表は、多数本の密に並べたイグサと、これと直交する連結糸を用いて織りあげられたものであり、この畳表をイグサの長さ方向が中敷底部の幅方向に沿う配置になるよう裁断して形成される。
【０００４】
しかしながら、畳表は裁断した場合、その周縁部で各イグサの切断面がそのまま露出して並列されており、そのまま履物用中敷に使用すると足裏による大きな荷重が作用し、通常の畳のように単に周縁を糊付けするだけでは各イグサが直ぐに外れて耐久性（強度）を担保できなかった。このため通常、畳表を表層部材として使用する場合、畳表の裏面全体に接着剤を塗布し、シート材に貼り付けることで各イグサを固定する方法がある。また、サンダル等の表層材として畳表を使用する場合には、サンダル底に直接又は吸湿剤を介挿させて畳表を接着している。
【０００５】
一方、畳表の裏面を接着剤等で固定した場合、接着剤の塗布時に各イグサの内部まで接着剤が侵入するとイグサの中心部（燈芯）による天然のクッション性や吸湿性、消臭・芳香効果が損なわれることとなり、足への負担増、異臭・雑菌の発生などを招き履物用中敷としては好ましいものとは言えなかった。
【０００６】
さらに、畳表を履物底に接着等で直接又は間接的に固定した場合には、容易に交換することができず、履物用中敷の耐久寿命がそのまま履物寿命に直結するという問題もあった。
【先行技術文献】
【特許文献】
【０００７】
【特許文献１】特開平１０−２１５９１３号公報
【特許文献２】特開２０１２−１５２４９４号公報
【発明の概要】
【発明が解決しようとする課題】
【０００８】
上記課題に鑑みて本発明は創作されたものであり、本発明は、イグサを用いた畳表本来のクッション性、吸湿性、消臭・芳香効果を維持しつつも、耐久性が担保され、交換も可能な履物用中敷と、これを容易に作ることができる製造方法とを提供することを目的とする。
【課題を解決するための手段】
【０００９】
本発明の履物用中敷は、平面形状である踏面としての表層部材が、密に並ぶよう並列させた多数のイグサと、該イグサと直交する連結糸と、を織り上げた畳表で構成され、
前記連結糸の少なくとも２本を表層部材の両端から突出させて該両端で互いに結んでいることを特徴とする。
【００１０】
本履物用中敷（靴の中敷やサンダルの踏面等を含む）では、踏面を構成する表層部材が、履物の前後方向に連結糸、幅方向にイグサが位置するように畳表を裁断して形成され、表層部材の前後両端から出た連結糸を前後とも結ぶことで前後方向の撓みや曲げに対する強度を増強している。
【００１１】
一方、本履物用中敷の場合、表層部材の裏面全体に接着剤等を塗布する必要もないためイグサ本来のクッション性や消臭・芳香性も維持することができる。さらに、表層部材は単に周縁を補強部材で固定しているだけであるため、交換することも容易である点でも有利である。
【００１２】
また、本履物用中敷は、前記表層部材の周縁の略全周を固定する補強手段を設けることが好ましい。
【００１３】
表層部材の周縁のみを補強手段で固定することで周縁部からイグサがバラバラになることも防止している。その結果、上記連結糸を互いに結ぶことと相まって耐久性の高い中敷を提供することができる。
【００１４】
また、前記補強手段は、略テープ状の部材を表層部材の周縁の略全周を挟んで表層部材に縫い付け又は接着していることが好ましい。
【００１５】
この場合、表層部材の周縁の固定を担う補強部材として、飾りテープのごときを使用し、これを周縁で挟み込んで裏表を縫い付け又は接着剤で固定している。
【００１６】
また、前記履物用中敷は、弾性シートを用いて形成した靴底形状等の中敷底部材を備え、
該中敷底部材は、前記表層部材と略同様の平面形状に形成され、前記表層部材の下面に重ねられ、前記表層部材の周縁の略全周を固定する補強手段で前記表層部材と結合されても良い。
【００１７】
本履物用中敷は、畳表を裁断して一枚構造で足りるが、クッション性を向上させるため更に表層部材の下面に弾性シートを重ね合わせても良い。
【００１８】
また、本発明の履物用中敷の製造方法は、
密に並ぶよう並列させた多数のイグサと、該イグサと直交する連結糸と、を織り上げた畳表から、連結糸の長さ方向を前後方向とする足型部と該足型部の前後両側から突出する突出部とで形成される踏面としての表層部材を裁断して切り出す第一工程と、
前記突出部のイグサを前記足型部に到達するまで除去する第二工程と、
該第二工程で突出部のイグサが除去されることで前記足型部の前後それぞれに露出した連結糸を互いに結ぶ第三工程と、を有し、
前記第一工程で切り出される前記足型部の前後両側の突出部は、それぞれの幅方向に前記連結糸が少なくとも２本含まれ、該連結糸は前後両側で繋がっている、ことを特徴とする。
【００１９】
また、本発明の履物用中敷の製造方法は、前記第三工程で連結糸が結ばれた状態の足型部の略全周を補強する第四工程と、を有しても良い。
【００２０】
本履物用中敷の製造方法は、上述する本履物用中敷を製造する方法であり、表層部材は、足型部以外に前後先端にそれぞれ突出部を設けた形状で裁断して切り抜く。このとき、突出部はその中に２本以上の連結糸が含まれる幅で裁断する。さらに、前後の突出部に含まれる連結糸が同じ連結糸の両端となるように前後の突出部を位置決めして裁断する必要がある。このように裁断すれば、同じ連結糸が前後それぞれの先端で固く結ばれて固定されるため表層部材の前後方向の延びや撓み、曲げを規制することができる。
【００２１】
さらに、前記第四工程での補強は、略テープ状の部材を表層部材の周縁の略全周を挟み、前記表層部材に縫い付け又は接着するものであることが好ましい。
【発明の効果】
【００２２】
本発明の履物用中敷および履物用中敷の製造方法によれば、表層部材の前後両端から出た連結糸を前後とも結ぶことで前後方向の延び、撓みや曲げに対する強度が増強され、周縁部からイグサがバラバラになることも防止できる。したがって、耐久性の高い履物用中敷を提供することができる。
【００２３】
さらに、本履物用中敷の場合、イグサ本来のクッション性や消臭・芳香性も維持しつつ、交換も容易である。
【図面の簡単な説明】
【００２４】
【図１】（ａ）は本履物用中敷の表層部材を切り出す前の畳表全体、（ｂ）は表層部材に中敷底部材が重ね合わせられる場合における中敷用底部材２示している。
【図２】畳表全体から表層部材が抜き出された状態を示した写真図である。
【図３】表層部材のイグサと連結糸とが織られた様子を示したものであり、（ａ）は表層部材の表面の一部を拡大した模式図であり、（ｂ）は表層部材を側部から見た模式図である。
【図４】足型部材から突出した連結糸をそれぞれ互いに結びつけた状態を示した写真図である。
【図５】図４の足型部材の前方の拡大写真図である。
【図６】補強部材を取り付けた様子を示した写真図である。
【発明を実施するための形態】
【００２５】
以下、本発明に係る履物用中敷の代表的な実施形態を、図１〜図６を参照しながら詳細に説明するが、本発明は図示されるものに限られないことはいうまでもない。また、各図面は本発明を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００２６】
まず、本履物用中敷の製造工程について説明する。
図１は、（ａ）は本履物用中敷の表層部材４を切り出す前の畳表全体１、（ｂ）は表層部材４に中敷底部材２が重ね合わせられる場合における中敷用底部材２を示している。畳表全体１は、図１（ａ）の矢印Ａ方向（紙面縦方向）に密に並ぶよう並列させた多数のイグサ６（図３参照）と、イグサ６と直交する連結糸８（図３参照）とを用いて織り上げたものである。
【００２７】
また、表層部材１は、単独で本履物用中敷を構成することもできるが、別途、下面に中敷底部材２が重ねられる場合もある。その場合の中敷用底部材２は、図１（ｂ）に示すように、靴底やサンダル底の形状に合わせて弾性シート（図示せず）を足型に切り抜いて形成される。弾性シートは適度な厚みと弾力性、可撓性を有する合成樹脂シートを用いている。
【００２８】
図１（ａ）の畳表全体１からは、表層部材４が切り抜かれる。このときイグサ６の長さ方向（矢印Ａ）と直交する方向を表層部材４の前後方向とするように裁断して形成される。畳表全体１を裁断した際、表層部材４は足型部４ａと足型部４ａの前後両先端から突出する突出部４ｂとで構成されている。突出部４ｂは、図１（ａ）では矩形状で示されているが、これは裁断の容易さからの形状に過ぎず、複数の連結糸８を含む幅が確保され、連結糸８同士を結ぶことができる長さ分突出していれば良い。具体的には後述する。
【００２９】
図２は、畳表全体１から表層部材４が抜き出された状態を示している。図３は、表層部材４のイグサ６と連結糸８とが織られた様子を示したものであり、（ａ）は表層部材４の表面の一部を拡大した模式図であり、（ｂ）は表層部材４を周縁部から見た模式図である。図３（ａ）に示すように、イグサ６は連結糸８を一つ飛ばしに跨いで隣同士のイグサ６が交互に表側裏側に繰り返して織り込まれる。例えば、イグサ６ａは連結糸８ａの表側に表れ、連結糸８ｂの裏側に侵入して再び連結糸８ｃの表側を跨いで表れている。一方、イグサ６ａの隣のイグサ６ｂは、連結糸８ａの裏側に侵入し、連結糸８ｂの表側を跨いで表れ、再び連結糸８ｃの裏側に侵入している。
【００３０】
一方、図３（ｂ）に示すように表層部材４の周縁部はイグサ６の切断面がそのまま露出しており、単にイグサ６が多数密に並列しているだけである。この図から隣同士のイグサ６は、参照番号６ａ、６ｂに示すように上下方向にずれて配設されているが、そのままの状態ではイグサ６ａ、６ｂの端部が上下方向に固定されておらず、横方向にも動きやすいことがわかる（なお、これを固定するものが後述する補強部材９である）。
【００３１】
再び図２を参照する。突出部４ｂは、その前方側（紙面右側）において点線で示すように幅方向に連結糸６が２本含まれている。前述するようにイグサ６と連結糸８とは、単に織り込みで結合されて前後方向には２本の各イグサ８と連結糸８との摩擦力で固定されているだけであるのでイグサ６を前方に引っ張っていく簡単に外れていく。このように外していき足型部４ａまでイグサ６を取り外して連結糸８を完全に露出させる。連結糸８を途中まで外した状態が図２に示されている。
【００３２】
また、前後の突出部４ｂに含まれる連結糸８は、同じ２本であることが必要である。なお、図２の例では、突出部４ｂの幅方向に２本の連結糸８が含まれているが連結糸８は３本以上であってもよく、後に結ぶ都合上、偶数本含まれることが好ましい。
【００３３】
次に足型部材４ａから突出した連結糸８をそれぞれ互いに結びつける。結びつけた状態が図４に示され、特に足型部材４ａの前方の拡大図が図５に示されている。連結糸８が２本の場合は、前後ともそれぞれ互いに固結び、好ましくは２回固結びしている。このように連結糸８を固結びすると表層部材４（足型部材４ａ）が撓むことがなく、表面に接地される足裏がすべって前後方向の摩擦力が作用しても、イグサ６が外れることがない。また、連結糸８は同じ２本の糸で構成されているため、表層部材４が曲げられると連結糸８に張力が作用するため撓みや曲げを復元する力が作用し、表層部材４を履物用の中敷に使用しても履物内での波打ちも低減され、履き心地がよく耐久性も向上する。
【００３４】
連結糸８が固結びされた後は、表層部材４の外縁を保護するために補強部材９で補強する。図６には補強部材９を取り付けた様子を示している。補強部材９は、縁飾りテープなどであり、表層部材４の周縁全周に沿ってその裏表面の覆うように挟んで取り付けられている。この挟み部分を縫い付けや接着で固定することで周縁部分が一体化されている。図３に示すように表層部材４の周縁はイグサ６の裁断面がそのまま露出しているため使用経過により各イグサ６がバラバラになり易いが、この補強部材９により周縁が固定されるため表層部材４の耐久性が向上する。
【００３５】
以上、本発明の実施形態について図面を参照しつつ説明してきたが、本発明は、これらの実施形態に限定されるものではなく、特許請求の範囲の記載の精神及び教示を逸脱しない範囲でその他の改良例、変形が存在することを当業者に容易に理解されるであろう。
【産業上の利用可能性】
【００３６】
本発明は、イグサを用いた畳表本来のクッション性、吸湿性、消臭・芳香効果を維持しつつも、耐久性が担保され、交換も可能な履物用中敷と、これを容易に作ることができる製造方法とであり、ユーザの足に負担をかけず、水虫等の症状の改善が期待でき、丈夫で安価に交換できるものである。
【符号の説明】
【００３７】
１      畳表全体
２      中敷底部材
４      表層部材
４ａ      足型部
４ｂ      突出部
６      イグサ
８      連結糸
９      補強部材
【図１】
2017144179.tif 000003
【図２】
2017144179.tif 000004
【図３】
2017144179.tif 000005
【図４】
2017144179.tif 000006
【図５】
2017144179.tif 000007
【図６】
2017144179.tif 000008